(57)【要約】【課題】街路灯として使用される照明器具において、通常照明を行う通常照明用光源の他に、警報や通行方向等の特別な表示を行う特別報知用光源を備える場合、通常照明用光源は白色系光源であり、特別報知用光源は白色系以外の発光色系光源となり、夜間に点灯される。そのとき通常照明用光源の白色系発光の干渉により、特別報知用光源の発光色の視認性が低下する。これを向上できる技術を提供する。【解決手段】下側に開口する内部空間を有し後部に取り付け部を備えた前後方向に長い金属製の本体の開口に臨み取り付けられた金属製の取り付け板と、開口を覆うように本体に取り付けられた透光性カバーと、取り付け板の下側面に通常照明用光源と通常照明用光源とは異なる発光色で発光する特別報知用光源が配置され、取り付け板と透光性カバーとの間の空間を通常照明用光源が配置された空間と、特別報知用光源が配置された空間とに仕切る不透光性の仕切り板を設ける。【選択図】図２
2018133203.tif 000002
【特許請求の範囲】
【請求項１】
下側に開口する内部空間を有し、後部に取り付け部を備えた本体と、
前記開口を覆うように前記本体に取り付けられた透光性カバーを備え、
夜間に通常照明として発光する通常照明用光源と、前記通常照明用光源とは異なる色で発光する特別報知用光源とが、前記透光性カバーを通して光が透過するように配置された、    
ことを特徴とする照明器具。
【請求項２】
前記本体は前後方向に長い形態をなし、
前記通常照明用光源は複数の白色系の発光素子が全体として前後方向に長い形態の配列をなし、前記特別報知用光源は、前記通常照明用光源とは異なる色で発光する複数の発光素子が全体として左右方向または前後方向に長い形態の配列をなし、前記特別報知用光源は前記通常照明用光源の前側に配置された、
ことを特徴とする請求項１に記載の照明器具。
【請求項３】
前記本体は前後方向に長い形態をなし、
前記開口に沿って前記本体に配置された金属製の取り付け板を備え、
前記取り付け板の下側面に、前記通常照明用光源と、前記通常照明用光源の前側に前記特別報知用光源が位置する関係に配置された、
ことを特徴とする請求項１または２に記載の照明器具。
【請求項４】
前記特別報知用光源が、光拡散性を有する特別報知部カバーで覆われた、
ことを特徴とする請求項１乃至３のいずれかに記載の照明器具。
【請求項５】
前記透光性カバーが、光拡散性を有する、
ことを特徴とする請求項１乃至４のいずれかに記載の照明器具。
【請求項６】
前記透光性カバーの空間が、前記通常照明用光源が配置された空間と、前記特別報知用光源が配置された空間とに仕切られる不透光性の仕切り板を備えた、
ことを特徴とする請求項１乃至５のいずれかに記載の照明器具。
【請求項７】
前記特別報知用光源は、異なる色を発する発光素子の複数が所定の配置で１チップに構成されて発光部基板に複数配置され、前記チップの少なくとも一つの向きが他のチップの向きと異なる向きに配置された、
ことを特徴とする請求項１乃至６のいずれかに記載の照明器具。
【発明の詳細な説明】
【技術分野】
【０００１】
本発明は、通常照明を行う通常照明用光源の他に、特別な表示のための特別報知用光源を備えた屋外設置型の照明器具に関する。
【背景技術】
【０００２】
屋外設置の道路灯等の照明器具は、照明器具の後部に設けた取り付け部を支柱に取り付けた状態で、照明器具に設けた通信制御部が外部と通信することにより、照明器具内に設けたＬＥＤ光源の発光が制御される仕組みのものがある（特許文献１参照）。
【０００３】
特許文献１のものは、照明器具内には、商用交流電力を電源とする常用ＬＥＤ光源と、内臓蓄電池を電源とする非常用ＬＥＤ光源と、警報用ＬＥＤ光源とを備え、商用交流電力が停電時には夜間において非常用ＬＥＤ光源を点灯する。また、基地局からの災害情報信号の受信によって、その災害の程度に応じて警報用ＬＥＤ光源を発光色の異なる状態で点灯させる。
【先行技術文献】
【特許文献】
【０００４】
【特許文献１】特開２０１５-２１３０４１号公報
【発明の概要】
【発明が解決しようとする課題】
【０００５】
特許文献１のものは、後ろから順番に、常用ＬＥＤ光源、非常用ＬＥＤ光源、警報用ＬＥＤ光源が配置され、常用ＬＥＤ光源のＬＥＤは、個々に反射板を備えており、それによって所期の方向への配光を得るようになっている。このため、常用ＬＥＤ光源部の部品と組み立て工数が多く、コストが嵩む。
また、常用ＬＥＤ光源は基板に取り付けた状態で放熱板に取り付けているが、警報用ＬＥＤ光源は、本体の側面から発光状態が見えるようにするために、図１から明らかなように、本体の側部から照射するようにしており、特別な取り付け構成となっている。
【０００６】
本発明は、通常照明を行う通常照明用光源の他に、警報や通行方向等の特別な表示を行う特別報知用光源を備えた屋外設置型の照明器具を提供するものである。
【０００７】
本発明の照明器具は、その使用目的からして、通常照明用光源は白色系光源であり、特別報知用光源は白色系以外の発光色系光源となり、夜間に点灯される。
小型の照明器具に通常照明用光源と特別報知用光源を隣接配置することとなる場合、通常照明用光源の白色系発光が特別報知用光源の発光領域に到達し、特別報知用光源の本来の発光色と異なる色に見えるようになる。
【０００８】
このような点に鑑み、本発明は、照明器具に、通常照明用光源と、通常照明用光源の前側に通常照明用光源とは異なる発光色の特別報知用光源を設け、通常照明用光源による所期の照明効果を保ちつつ、特別報知用光源の発光色の視認性を向上できる技術を提供する。
【０００９】
この目的を達成するための制御の一つとして、通常照明用光源の点灯制御は照明器具に設けた照度センサの検出により行い、特別報知用光源の点灯制御は外部からの指令によって行うようにする。
本発明において、点灯は発光を意味し、消灯は非発光を意味する。
【課題を解決するための手段】
【００１０】
第１の本発明の照明器具は、
下側に開口する内部空間を有し、後部に取り付け部を備えた本体と、
前記開口を覆うように前記本体に取り付けられた透光性カバーを備え、
夜間に通常照明として発光する通常照明用光源と、前記通常照明用光源とは異なる色で発光する特別報知用光源とが、前記透光性カバーを通して光が透過するように配置された、
ことを特徴とする。
【００１１】
第２の本発明の照明器具は、上記第１において、
前記本体は前後方向に長い形態をなし、
前記通常照明用光源は複数の白色系の発光素子が全体として前後方向に長い形態の配列をなし、前記特別報知用光源は、前記通常照明用光源とは異なる色で発光する複数の発光素子が全体として左右方向または前後方向に長い形態の配列をなし、前記特別報知用光源は前記通常照明用光源の前側に配置された、
ことを特徴とする。
【００１２】
第３の本発明の照明器具は、上記第１または第２において、
前記本体は前後方向に長い形態をなし、
前記開口に沿って前記本体に配置された金属製の取り付け板を備え、
前記取り付け板の下側面に、前記通常照明用光源と、前記通常照明用光源の前側に前記特別報知用光源が位置する関係に配置された、
ことを特徴とする。
【００１３】
第４の本発明の照明器具は、上記第１乃至第３のいずれかにおいて、
前記特別報知用光源が、光拡散性を有する特別報知部カバーで覆われた、
ことを特徴とする。
【００１４】
第５の本発明の照明器具は、上記第１乃至第４のいずれかにおいて、
前記透光性カバーが、光拡散性を有する、
ことを特徴とする。
【００１５】
第６の本発明の照明器具は、上記第１乃至第５のいずれかにおいて、
前記透光性カバーの空間が、前記通常照明用光源が配置された空間と、前記特別報知用光源が配置された空間とに仕切られる不透光性の仕切り板を備えた、
ことを特徴とする。
【００１６】
第７の本発明の照明器具は、上記第１乃至第６のいずれかにおいて、
前記特別報知用光源は、異なる色を発する発光素子の複数が所定の配置で１チップに構成されて発光部基板に複数配置され、前記チップの少なくとも一つの向きが他のチップの向きと異なる向きに配置された、
ことを特徴とする。
【発明の効果】
【００１７】
本発明の照明器具は、下側に開口する内部空間を有し、後部に取り付け部を備えた本体と、前記開口を覆うように前記本体に取り付けられた透光性カバーを備え、夜間に通常照明として発光する通常照明用光源と、前記通常照明用光源とは異なる色で発光する特別報知用光源とが、前記透光性カバーを通して光が透過するように配置された構成である。
このため、通常照明用光源が夜間に街路等の所要個所を照明できると共に、特別報知用光源の発光色がよく見える状態が形成でき、特別報知用光源の発光色の視認性が向上する。
【００１８】
また、本体は前後方向に長い形態をなし、通常照明用光源は複数の白色系の発光素子が全体として前後方向に長い形態の配列をなし、特別報知用光源は通常照明用光源とは異なる色で発光する複数の発光素子が全体として左右方向または前後方向に長い形態の配列をなし、特別報知用光源は通常照明用光源の前側に配置されることによって、通常照明用光源で所期の照明を確保すると共に、特別報知用光源の発光色がよく見える状態が形成でき、特別報知用光源の発光の視認性に優れたものとなる。
【００１９】
また、透光性カバーを通して光が透過するように、通常照明用光源と特別報知用光源が、本体の開口に沿って本体に配置された金属製の取り付け板の下側面に、通常照明用光源の前側に特別報知用光源が位置する関係に配置される。
これによって、通常照明用光源と特別報知用光源が発する熱の放熱効果が良好であると共に、通常照明用光源が夜間に街路等の所要個所を照明できると共に、特別報知用光源の発光色がよく見える状態が形成でき、特別報知用光源の発光色の視認性が向上する。
【００２０】
また、特別報知用光源が、透明以外の光拡散性を有する透光性の特別報知部カバーで覆われることによって、通常照明用光源が夜間に街路等の所要個所を照明できると共に、特別報知用光源の発光色が遠方からよく見える状態が形成でき、特別報知用光源の発光色の視認性が向上する。
更に、透光性カバーが透明以外の光拡散性を有することによって、より一層、特別報知用光源の発光色が遠方からよく見える状態が形成でき、特別報知用光源の発光色の視認性が向上する。
【００２１】
また、透光性カバーの空間が、通常照明用光源が配置された空間と、特別報知用光源が配置された空間とに仕切られる不透光性の仕切り板を備えることによって、通常照明用光源の影響を受けて特別報知用光源が本来の発光色とは異なる色で見えることが防止でき、特別報知用光源は本来の発光色として視認できることとなり、特別報知用光源の発光色の視認性を向上できるものとなる。
また、仕切り板は取り付け板に取り付ける構成によって、取り付け板に特別報知用光源、通常照明用光源及び仕切り板を取り付けた状態で、取り付け板を本体に取り付けることができるため、光源の構成の簡素化と、光源の発する熱の放熱効果を考慮した取り付けを達成することができる。
【００２２】
また、例えば、１チップに赤、青、緑の発光素子が同じ配置で封入されている場合、全てのチップが同じ向きに配置された場合は、赤、青、緑の発光素子が点灯したとき、それを見る向きによって、例えば赤が強く視認される状態が生じる。
しかし、本発明では、特別報知用光源は、発光色が異なる発光素子の複数が所定の配置で１チップに構成されて発光部基板に複数配置される場合、このチップの少なくとも一つの向きが他のチップの向きと異なる向きに配置されることにより、上記のように一つの色が強く見えるというようなことは緩和され、３原色が所定の混ざり合った発光状態となり、好ましい発光状態となる。
【図面の簡単な説明】
【００２３】
【図１】本発明に係る照明器具の側面図である。
【図２】本発明に係る照明器具の縦断側面図である。
【図３】本発明に係る照明器具の透光性カバーを外した状態の側面図である。
【図４】本発明に係る照明器具の透光性カバーを外した状態で下方から視た斜視図である。
【図５】本発明に係る照明器具の透光性カバーを外した状態に下面図である。
【図６】本発明に係る照明器具の分解斜視図である。
【図７】本発明に係る照明器具の特別報知用光源の配置図である。
【図８】本発明に係る照明器具の特別報知用光源の他の実施例を示す配置図である。
【図９】本発明に係る照明器具の特別報知用光源の１チップの各発光素子の配置図である。
【図１０】本発明に係る照明器具の特別報知用光源の１チップの各発光素子の他の実施例を示す配置図である。
【図１１】本発明に係る照明器具の動作制御用ブロック図である。
【発明を実施するための形態】
【００２４】
本発明の照明器具１は、下側に開口２Ａを持つ内部空間４を有し、後部に取り付け部１０を備えた前後方向に長い金属製の本体２と、開口２Ａに臨み本体２に取り付けられた金属製の取り付け板４０と、開口２Ａを覆うように本体２に取り付けられた透光性カバー３と、取り付け板４０の下側面に通常照明用光源５０と通常照明用光源５０とは異なる発光色で発光する特別報知用光源６０が配置され、取り付け板４０と透光性カバー３との間の空間を通常照明用光源５０が配置された空間と、特別報知用光源６０が配置された空間とに仕切る不透光性の仕切り板７０を設けた構成である。
以下、本発明の実施形態として、光源としてＬＥＤ素子（発光ダイオード）７Ａ、７Ｂを採用した照明器具１について、図面を参照して説明する。
【００２５】
照明器具１は、一つ形態として、図１〜図６に示すように、後部に取り付け部１０を有する前後方向に長い形態である。本体２は、下面の略全域が開口するように開口部２Ａを形成し内外両面に防錆効果のある熱伝導性塗装を施した金属製等の熱伝導良好な不透光性で構成され、乳白色等の合成樹脂製の透光性カバー３は、この本体２の開口部２Ａを塞ぐように開口部２Ａの周縁部に組み合わされる。
【００２６】
本体２は、アルミニウムを材料としてダイキャスト成形され、上壁２Ｔと上壁２Ｔから前後左右に下降する周囲壁２Ｓで囲まれ上方に膨らむ形態の前後方向に長い内部空間４を有し、内部空間４は周囲壁２Ｓで囲まれ下側に開口する開口部２Ａを形成し、支柱等への取り付け部１０を後部に備える。
【００２７】
透光性カバー３は、左右間の中央部が最低部となるように左右から中央部に向けて外側に曲面で膨らみ、全体形状が前後方向に長い船底型をなしており、その上端部には周縁部を巡る上方へ突出する環状フランジ３Ｆが形成されている。一方の本体２は、開口部２Ａの周縁部を巡る環状フランジ２Ｆを形成している。本体２の環状フランジ２Ｆと透光性カバー３のフランジ３Ｆがパッキンを介して組み合わされた状態で、透光性カバー３を貫通するネジが本体２に一体形成した取り付けボス１３のネジ孔に螺合して、透光性カバー３が本体２に液密状態に固定される。
【００２８】
取り付け板４０は、前後方向に長く、開口部２Ａに沿うように開口２Ａに臨み、開口２Ａの左右辺に亘る幅を有する平板状であり、この平板部の前後の各二つの隅に形成した脚部が本体２に一体形成した取り付けボスにネジＮＣにて取り付けられることにより、平板部が開口２Ａに沿うように取り付けられる。この状態で、取り付け板４０は開口２Ａの大半を塞ぐ大きさを有し、取り付け板４０と透光性カバー３との間に、透光性カバー３で覆われる前後方向に長い船底型の空間３Ｐが形成される。取り付け板４０の下側面には、取り付け板４０からはみ出ることなく取り付け板４０内に収まるように通常照明用光源５０と特別報知用光源６０が配置される。
【００２９】
取り付け板４０は、通常照明用光源５０と特別報知用光源６０から発生する熱を本体２へ伝達して放熱するための放熱板として有効である。取り付け板４０は、通常照明用光源５０用と特別報知用光源６０用とに別個の取り付け板とすることでもよいが、コスト低減のためには、図示のように共通の取り付け板４０とすることが好ましい。
【００３０】
図示の形態では、取り付け板４０は、１枚の平板状の金属製であり、図５等に示すように、取り付け板４０の下側面には、取り付け板４０に収まるように通常照明用光源５０と特別報知用光源６０が併設配置される。このため、通常照明用光源５０及び特別報知用光源６０の取り付け、配置、点灯電力供給線の配線がし易くなる。
【００３１】
通常照明用光源５０は、下側面にＬＥＤ素子７Ａが配置された発光部基板５が取り付け板４０の下側面にネジＮ１で固定される構成である。電気絶縁性の発光部基板５は、複数のＬＥＤ素子７Ａを下面に実装し、ＬＥＤ素子７Ａへの電路が同じ下面にプリント配線として形成され、このプリント配線を絶縁被膜で覆っている。
【００３２】
通常照明用光源５０のＬＥＤ素子７Ａは、白色系発光をなす白色系発光素子であり、ＬＥＤ素子７Ａが全体として前後方向に長くなる配置である。一方の特別報知用光源６０は、後述のように、赤、緑、緑の三原色の発光素子で構成され、目的に応じて通常照明用光源５０とは異なる発光色で発光するように、赤、緑、緑の三原色の発光素子の一つまたは複数が同時発光する構成である。特別報知用光源６０は通常照明用光源５０の前側に配置され、ＬＥＤ素子７Ｂが全体として左右方向に長くなる配置である。前記白色系発光とは、自然光色、白色、青味がかった白色、暖色系の白色、太陽光と同等の昼光色のいずれも含むものである。
【００３３】
通常照明用光源５０は、図示の形態は、各ＬＥＤ素子７Ａを覆うように発光部基板５の下側面に組み合わされＬＥＤ素子７Ａが放射する光を所定の配光にて出射する配光ユニット８を備える。
配光ユニット８は透光性合成樹脂製であり、板状部８１に複数の配光部８２を一体形成した構成であり、板状部８１は発光部基板５と略同じ大きさであり、板状部８１と発光部基板５は共に取り付け板４０からはみ出ない大きさである。配光部８２は、ＬＥＤ素子７Ａごとに所定の配光となる出射光を形成する部分であり、実施例ではレンズ形態をなす。配光部８２は、照明器具１の左右方向への配光特性を有する長円形状の第１配光部８２Ａと、照明器具１の略真下方向への配光特性を有する四角形状の第２配光部８２Ｂとを有し、各ＬＥＤ素子７Ａが第１配光部８２Ａに対応する状態と、各ＬＥＤ素子７Ａが第２配光部８２Ｂに対応する状態とに選択可能である。
【００３４】
実施例では、図５に示すように、発光部基板５の下側面に所定間隔で配置した左右４個ずつのＬＥＤ素子７Ａを一組として前後に２組の通常照明用光源５０が配置され、その各組ごとに配光ユニット８を設けている。これによって、通常照明用光源５０は複数のＬＥＤ素子７Ａが全体として前後方向に長い形態の配列をなすこととなり、街路の幅に亘り街路の長さ方向への照明が可能となる。
通常照明用光源５０の光が本体２の開口２Ａ周縁で遮られないように、１配光部８２Ａと第２配光部８２Ｂは本体２の開口２Ａの周縁よりの若干下方位置となるように突出している。
【００３５】
取り付け板４０の下側面には、通常照明用光源５０の前側に特別報知用光源６０が配置される。特別報知用光源６０は、下側面にＬＥＤ素子７Ｂが配置された第２発光部基板５Ｂが取り付け板４０の下側面にネジＮ２で固定される構成である。特別報知用光源６０は、複数のＬＥＤ素子７Ｂが全体として左右方向に長い形態の配列をなすこととなる。
また、第２発光部基板５Ｂを省略して発光部基板５を前後に長く形成し、これにＬＥＤ素子７Ａと、ＬＥＤ素子７Ａの配置の前側において、ＬＥＤ素子７Ｂが左右方向に長く配置される形態でもよい。
いずれの構成においても、発光部基板５及び第２発光部基板５Ｂは、取り付け板４０からはみ出ない大きさである。
【００３６】
このように、通常照明用光源５０のＬＥＤ素子７Ａは、全体として前後方向に長くなる配置であり、特別報知用光源６０は、通常照明用光源５０の前側に配置され、ＬＥＤ素子７Ｂが全体として左右方向に長くなる配置である。
このため、通常照明用光源５０の発光と特別報知用光源６０の発光の照射領域を十分確保できることとなり、通常照明用光源５０が夜間に街路等の所要個所を照明できると共に、特別報知用光源の発光色がよく見える状態となり、特別報知用光源６０の発光色の視認性が向上する。
【００３７】
特別報知用光源６０は、ＬＥＤ素子７Ｂを第２発光部基板５Ｂに取り付けたままの状態で、例えば、災害発生の状況の程度を異なる発光色で示すようにすることでもよいが、報知効果を向上させるために光拡散性を有する透光性の特別報知部カバー８０で覆われるようにする。
光拡散性は、乳白色にするとか、特別報知用カバー８０の内面をシボ加工等によって細かい凹凸形状によって達成できる。以下同じ。
この特別報知部カバー８０は、透光性を有する合成樹脂製またはガラス製であり、災害発生時に有効な避難方向を示す矢印やマーク等の特別報知部８１を形成することができる。特別報知部８１は不透光性とすることによって、特別報知用光源６０の点灯によって、外部からマーク等の特別報知部８１が視認し易くなる。
【００３８】
透光性カバー３は、透明または乳白色等の光拡散性を有する透光性とし、通常照明用光源５０と、特別報知部カバー８０で覆われた特別報知用光源６０を覆う。この透光性カバー３は乳白色等の合成樹脂製またはガラス製で作成でき、通常照明用光源５０の発光にて、その光が拡散し透光性カバー３を通して街路面を照射する。また特別報知用光源６０が発光したときその光が拡散し、その発光色が透光性カバー３を通して街路からよく視認できるようになる。
【００３９】
また、特別報知部カバー８０は透明でもよいが、照明効果を向上させるために、特別報知部カバー８０は光拡散性を有する透光性とする。このため、特別報知部カバー８０を乳白色等の合成樹脂で構成し、特別報知部８１は不透光性とすることによって、特別報知用光源６０が発光したとき、その発光色が特別報知部カバー８０で拡散し、その発光色が透光性カバー３を通して街路からよく視認できる状態となり、更に外部からマーク等の特別報知部８１が視認し易くなる。
【００４０】
照明器具１は、商用電源３０から供給される電力に基づき動作する構成であり、第１配光部８２Ａを通して街路の延びる方向に通常照明用光源５０の光が照射されるように、街路の端に設置した支柱の上部に街路の幅方向に向けて取り付けられる。特別報知部８１を避難方向を示す矢印で示す場合に適するように、図５に示すように、特別報知用カバー８０が街路方向である照明器具１の左右方向に長い形態とし、特別報知部８１の矢印を街路方向とする。
この特別報知用カバー８０は透明または乳白色等の合成樹脂で構成し、特別報知部８１は不透光性とすることによって、特別報知用光源６０の点灯によって、特別報知用カバー８０によって特別報知用光源６０の光が拡散し、複数色の発光が混ざり合って所期の発光状態に見えると共に、外部からマーク等の特別報知部８１が視認し易くなる。
【００４１】
特別報知用光源６０のＬＥＤ素子７Ｂは、通常照明用光源５０とは異なる色で発光する発光素子で構成される。その一つとして、図９に示すように、ＬＥＤ素子７Ｂは、それぞれ赤（Ｒ）色の発光素子、緑（Ｇ）色の発光素子、青（Ｂ）色の発光素子の三原色の発光素子が１チップの中に、直線状、三角状等のように所定の配置構成である。
実施例では、このチップの複数が第２発光部基板５Ｂの下側面に前後に２列配置となるように、各列にチップの複数が所定間隔を存して左右方向に直線状に配置されている。特別報知用光源６０の赤（Ｒ）、緑（Ｇ）、青（Ｂ）の発光素子の発光の一つまたは組み合わせにより、複数種類の発光色を得ることができる。
【００４２】
図７（Ａ）に示すように、２列のうちの各列では、全てのＬＥＤ素子７Ｂのチップが同じ向きに配置された場合は、赤（Ｒ）、緑（Ｇ）、青（Ｂ）の発光素子７Ｂのうちの複数が点灯したとき、それを見る向きによって、一つの色が強く見える状態、例えば、横から見た場合、赤が強く視認される状態が生じる。
これを防止するために、特別報知用光源６０は、発光色が異なる発光素子の複数が所定の配置で１チップに構成されて発光部基板５Ｂに列状に複数（２個以上）配置される場合、この列のチップの少なくとも一つの向きが他のチップの向きと異なる向きに配置されることにより、上記のように一つの色が強く見えるというようなことは緩和され、３原色が混ざり合った発光状態となり、好ましい発光状態となる。
この列は、直線配置、ジグザグ配置等のいずれでもよく、全体として列が形成される状態であればよい。
【００４３】
その一つの好ましい実施形態として、図７（Ｂ）に示すように、ＬＥＤ素子７Ｂは隣り合うチップの向きが異なる向きに配置することにより、赤（Ｒ）、緑（Ｇ）、青（Ｂ）の発光が混ざり合うようにすることができ、所期の発光色が達成できるようになる。
図７（Ｂ）には、一列８個のチップのＬＥＤ素子７Ｂのうちの３個のチップの内部の赤（Ｒ）、緑（Ｇ）、青（Ｂ）の発光素子の配置を示しているが、他の発光素子７Ｂの内部も同様の配置であり、それは、黒塗りダイオードマークを参照すれば、赤（Ｒ）、緑（Ｇ）、青（Ｂ）が同じ配置の発光素子７Ｂが一つ置きに配置されていることが判明する。
赤（Ｒ）と青（Ｂ）が点灯されたとき、または緑（Ｇ）と青（Ｂ）が点灯されたときも同様である。
なお、複数のＬＥＤ素子７Ｂは、１列配置または複数列配置のいずれでもよい。
【００４４】
本発明の他の実施例として、特別報知用光源６０のＬＥＤ素子７Ｂは、赤（Ｒ）、緑（Ｇ）、青（Ｂ）の三原色の発光素子の他に白色系発光をなす白色系発光素子（Ｗ）が１チップの中に含まれた構成であり、図１０に示すように、赤（Ｒ）、緑（Ｇ）、青（Ｂ）、白（Ｗ）の各素子は四角配置である。前記白色系発光とは、自然光色、白色、青味がかった白色、暖色系の白色、太陽光と同等の昼光色のいずれも含むものである。
【００４５】
この場合も、上記同様に、４個一列のチップの少なくとも一つの向きが他のチップの向きと異なる向きに配置されることにより、一つの色が強く見える状態を防止できる。その一つの好ましい実施形態として、図８に示すように、ＬＥＤ素子７Ｂは隣り合うチップの向きが異なる向きに配置することにより、赤（Ｒ）、緑（Ｇ）、青（Ｂ）のうちの複数の発光が混ざり合うようにすることができ、所期の発光色が達成できるようになる。
【００４６】
なお、白色光を放出する場合は、赤色光を発する赤色ＬＥＤ素子（Ｒ）、緑色光を発する緑色ＬＥＤ素子（Ｇ）及び青色光を発する青色ＬＥＤ素子（Ｂ）によって白色光を放出するように構成してもよいが、白（Ｗ）の発光素子を備えることによって、明確に白（Ｗ）の発光が得られる。
【００４７】
また、特別報知用光源６０が、図９及び図１０に示すように、赤（Ｒ）、緑（Ｇ）、青（Ｂ）または赤（Ｒ）、緑（Ｇ）、青（Ｂ）、白（Ｗ）のように、異なる色を発する発光素子の複数が所定の配置で１チップに構成され、このチップの複数（２個以上）が発光部基板５Ｂに列以外の配置状態である場合でも、前記チップの少なくとも一つの向きが他のチップの向きと異なる向きに配置されることにより、上記のように一つの色が強く見える状態を解決できる。
【００４８】
照明器具１は街路の端に設置した支柱の上部に取り付けられて、夜間において通常照明用光源５０によって街路を照射するが、特別報知用光源６０が同時に点灯状態となった場合、街路から見た人は、通常照明用光源５０の白色光が前方の特別報知用光源６０に向けて照射され、特別報知用光源６０の発光色が変化した状態に見える。
これを防止するために、図２に示すように、取り付け板４０と透光性カバー３との間の船底型の空間３Ｐを、後側の通常照明用光源５０が配置された空間３Ｐ１と、前側の特別報知用光源６０が配置された空間３Ｐ２とに仕切る不透光性の仕切り板７０を設けている。
【００４９】
仕切り板７０は、ネジＮ３によって取り付け板４０の下側面に固定される。仕切り板７０の上端は取り付け板４０の下側面に当接し、仕切り板７０の下端は透光性カバー３の内面に沿う形状で以って透光性カバー３の内面に当接または近接しており、仕切り板７０の左右長さは略取り付け板４０の左右幅と同等である。
【００５０】
通常照明用光源５０の上側への光は発光部基板５や取り付け板４０にて遮られるが、前方への光は、この仕切り板７０によって、通常照明用光源５０の白色光が前方へ直進することが防止され、特別報知用光源６０に到達するのを防止する。
このため、特別報知用光源６０の発光色が通常照明用光源５０の白色光によって薄められる減少を防止でき、特別報知用光源６０が所期の発光色で発光しているように見えることが保障される。
【００５１】
特別報知用光源６０は、通常照明用光源５０の前側に配置され、通常照明用光源５０の発光と特別報知用光源６０の発光の照射領域を十分確保できることにより、通常照明用光源５０が夜間に街路等の所要個所を照明できると共に、特別報知用光源の発光色がよく見える状態となり、特別報知用光源６０の発光色の視認性が向上する。
この効果を得るために、左右方向の幅に対して前後方向の長さが大である本体２の開口２Ａにおいて、前側の特別報知用光源６０と後側の通常照明用光源５０の配置領域は、前記前後方向の長さのうち、仕切り板７０で仕切られた前側の特別報知用光源６０が占める領域が２０％〜４０％であり、仕切り板７０で仕切られた後側の通常照明用光源５０が占める領域が６０％〜８０％となる配置としている。
【００５２】
照明器具１には、その周辺部の照度を検出する照度センサＳＳが、先端が透光性である保護カバー２７に収容された状態で、本体２の後壁に形成した採光孔に取り付けられている。
【００５３】
図１１には照明器具１の動作制御用ブロック図を示す。外部電源である商用電源３０の交流電力がＡＣ／ＤＣ変換部３１にてＬＥＤ素子７Ａ及び７Ｂの電源電力となる１２ボルト直流電力であるＬＥＤ電源３２に変換される。ＬＥＤ電源３２から供給されるＬＥＤ素子７Ａ用電源は３２−７Ａであり、電源３２−７Ａの電力はコネクタＣＴ１を通してＬＥＤ素子７Ａに供給される。
ＬＥＤ素子７Ｂの赤（Ｒ）発光素子用電源は３２−Ｒであり、緑（Ｇ）発光素子用電源は３２−Ｇであり、青（Ｂ）発光素子用電源は３２−Ｂであり、白（Ｗ）発光素子用電源は３２−Ｗである。
【００５４】
通常照明用光源５０のＬＥＤ素子７Ａ及び特別報知用光源６０のＬＥＤ素子７Ｂの点灯・消灯の制御や、特別報知用光源６０のＬＥＤ素子７Ｂの赤（Ｒ）、緑（Ｇ）、青（Ｂ）の発光素子のいずれを発光させるかの選択制御は、制御部３３によって行われる。
ＬＥＤ素子７Ｂの赤（Ｒ）発光素子を発光させる場合は、制御部３３によって赤（Ｒ）発光素子用電源３２−ＲがコネクタＣＴ２から供給されて赤（Ｒ）発光素子が発光する。同様に、制御部３３によって、緑（Ｇ）発光素子用電源３２−ＧがコネクタＣＴ２から供給されて緑（Ｇ）発光素子が発光し、青（Ｂ）発光素子用電源３２−ＢがコネクタＣＴ２から供給されて青（Ｂ）発光素子が発光し、白（Ｗ）発光素子用電源３２−がコネクタＣＴ２から供給されて白（Ｗ）発光素子が発光する。
【００５５】
制御部３３にはＡＣ／ＤＣ変換部３１にて変換した直流電力が供給され、制御部３３の制御入力として、照度センサＳＳの検出に基づく検出信号と、外部から供給される外部信号がある。
照明器具１はこの外部信号を受信するアンテナを含む通信部３４を備えている。一つの地域に設置された複数の照明器具１を管理センターで管理するようなシステムの場合、外部信号は、その管理センターから送信される信号である。
【００５６】
通信部３４が外部信号を受信するだけであれば通信部３４は受信機能だけでよいが、通常は、通信部３４が外部信号を受信したとき、受信したことを管理センターへ送信するため、通信部３４は送受信機能を持つこととなる。
【００５７】
図２に示すように、本体２の内部空間４の後部領域には、金属製のコ字状の取り付け板３８が、本体２の取り付けボスにネジで縦方向に取り付けられている。取り付け板３８の後面には、ＡＣ／ＤＣ変換部３１にて変換された１２ボルト直流電力を５ボルト直流電力に変換するＤＣ／ＤＣ変換部３２Ｔが取り付けられている。ＤＣ／ＤＣ変換部３２Ｔは、所要の電気部品が基板に取り付けられ、この基板が取り付け板３８に取り付けられている。ＤＣ／ＤＣ変換部３２Ｔで変換された５ボルト直流電力が通信部３４の電源として供給される。
【００５８】
内部空間４において、取り付け板３８の下端部に上面開口周縁をネジＮ７で取り付けた合成樹脂製の保護カバー３９が結合され、保護カバー３９内には、制御部３３及び通信部３４、更に通信部３４のアンテナが収容される。
【００５９】
透光性カバー３は、船底型の空間３Ｐの後部に下方へ膨出した収容部３Ｙを一体形成しており、保護カバー３９がこの収容部３Ｙに収容される。通信部３４のアンテナが受ける外部信号及びこのアンテナから発信する信号は、収容部３Ｙと保護カバー３９を通過する。
【００６０】
図２及び図６に示すように、ＬＥＤ電源３２はプリント配線された電源基板に電気部品が取り付けられて構成され、前記電源基板が電気絶縁性の間隔子３６Ａを介して取り付け板４０の上側面に取り付けられている。また、ＡＣ／ＤＣ変換部３１は、プリント配線された変換部基板に電気部品が取り付けられて構成され、前記変換部基板が金属製のカバーＫＫに取り付けられ、本体に取り付けられる金属製の取り付け板ＫＴの上面にこのカバーＫＫが取り付けられる。取り付け板ＫＴは、本体の上壁２Ｔから垂下した取り付けボスにネジにて取り付けられる。
【００６１】
ＡＣ／ＤＣ変換部３１、ＬＥＤ電源３２等の照明器具１の電気回路を雷サージから守るために、雷サージ回路３５をＡＣ／ＤＣ変換部３１の後方で内部空間４で本体２の上壁に取り付けている。
雷サージ回路３５はプリント配線された基板に電気部品が取り付けられて構成され、電気絶縁性の間隔子３６Ｂを介して取り付け板ＫＴの上側面に取り付けられている。
【００６２】
商用電源３０は、本体２の後壁に形成した貫通孔に挿入される絶縁ゴム製のブッシング２８を貫通して電力ラインから供給される交流電力であり、その電力ラインの先端に取り付けた電源コネクタが前記変換部基板のコネクタと接続されることにより供給される電源である。
【００６３】
通常照明用光源５０は、照明器具１の周辺が所定の暗さになったとき、その照度を照度センサＳＳが検出し、その検出に基づく検出信号により制御部３３によって夜間に点灯状態となる。また、照明器具１の周辺が所定の明るさになったとき、その照度を照度センサＳＳが検出し、その検出に基づく検出信号により制御部３３によって昼間に消灯状態となる。
【００６４】
特別報知用光源６０は、特定信号に基づき通常照明用光源５０とは異なる色で発光する。この特定信号は、外部通信部から供給される外部信号であり、この外部信号を通信部３４が受信し、外部信号に基づき制御部３３の動作によって点灯、消灯が制御される。また、通信部３４が受信する外部信号は、危険度の程度に応じてＬＥＤ素子７Ｂを所定の発光色で発光させるための指令信号であり、通信部３４が受信する外部信号に基づく制御部３３の動作によって、特別報知用光源６０の発光色が制御される。このため、危険度が高い外部信号の場合は、特別報知用光源６０のＬＥＤ素子７Ｂを通常照明用光源５０とは異なる発光色、例えば赤色等で点灯させることができ、危険度が低い外部信号の場合は、特別報知用光源６０のＬＥＤ素子７Ｂを、例えば緑色等で点灯させることができる。
【００６５】
上記のように、通常照明用光源５０は、照度センサＳＳの検出に基づき点灯及び消灯が制御されることにより、夜間での所期の照明が得られる。また、特別報知用光源６０は、外部信号に基づき点灯、消灯、発光色が制御されるため、危険度の程度に応じた適切な報知となり、通常照明用光源５０と特別報知用光源６０の構成及び配置に特徴を持つ本発明の効果が十分活かされるものとなる。
【００６６】
また、通常照明用光源５０と特別報知用光源６０が、夜間において同時点灯状態になっても、通常照明用光源５０の白色光が仕切り板７０によって前方の特別報知用光源６０に到達することが阻止されるため、特別報知用光源６０の発光色が通常照明用光源５０の白色光によって薄められる減少を防止できる。このため、特別報知用光源６０が所期の発光色で発光しているように見えることとなり、特別報知用カバー８０も所期の発光色で見える状態となり、特別報知部８１も明確に見えるようになり、特別報知用光源６０を設ける所期の目的が達成できる。
【００６７】
上記のように、特別報知用光源６０を通常照明用光源５０の前側に配置することにより、通常照明用光源５０にて所期の照明の確保と共に、特別報知用光源６０の発光の視認性に優れたものとなる。
また、図５に示すように、通常照明用光源５０は複数のＬＥＤ素子７Ａが全体として前後方向に長い形態の配列をなし、特別報知用光源６０は複数のＬＥＤ素子７Ｂが全体として左右方向に長い形態の配列をなし、特別報知用光源６０は通常照明用光源５０の前側に配置されることにより、通常照明用光源５０で所期の照明を確保すると共に、特別報知用光源６０の発光の視認性に優れたものとなる。
【００６８】
また、特別報知用光源６０の赤（Ｒ）、緑（Ｇ）、青（Ｂ）の発光素子の発光の一つまたは組み合わせにより、種々の発光色が形成できるため、通常照明用光源５０を発光させる必要がない昼間において、住民に特別報知の必要性が生じる事態においては、特別報知用光源６０を例えば赤（Ｒ）のように所定の色で発光または点滅させる。この場合も、本発明の構成によって良好な発光表示が可能となる。
【００６９】
また、上記のように、特別報知用光源６０のＬＥＤ素子７Ｂを赤（Ｒ）、緑（Ｇ）、青（Ｂ）で発光する発光素子の他に、図８及び図１０に示すように、白色発光素子（Ｗ）を加えて、１チップに構成することができる。この場合、通常照明用光源５０は、照度センサＳＳの検出に基づき点灯・消灯が制御される白色系発光であり、通常時の夜間において、特別報知用光源６０の点灯が必要ないとき、通信部３４が受信する外部信号に基づき制御部３３によって、白色発光素子（Ｗ）を通常照明用光源５０と同時点灯させる同時点灯モードを形成することによって、照明器具１の前側の照明効果を向上でき、夜間での路面の照明効果をアップさせることができる。
そして、災害時等の場合は、特別報知用光源６０のＬＥＤ素子７Ｂの発光が、白色以外の赤（Ｒ）、緑（Ｇ）、青（Ｂ）の単色または混合色となる発光状態とすることができる。
【００７０】
特別報知用光源６０のＬＥＤ素子７Ｂを赤（Ｒ）、緑（Ｇ）、青（Ｂ）で発光する発光素子が１チップに構成される形態とはせず、個々のＬＥＤ素子７Ｂが単色発光の赤（Ｒ）発光素子、緑（Ｇ）発光素子、青（Ｂ）発光素子で構成し、これらの発光色が混ざり合うような配列とし、上記同様の発光及び制御とすることもできる。
この場合、通常照明用光源５０に設けた配光ユニット８と同様に、ＬＥＤ素子７Ｂごとのレンズ形態の配光部８２を備える配光ユニット８を設ける形態とすることができ、その場合は、特別報知用カバー８０は透明でもよく、また、この特別報知用カバー８０を省くこともできる。
【００７１】
上記の実施形態では、特別報知用光源６０のＬＥＤ素子７Ｂが左右方向に長い一列または複数列の配列であるが、特別報知用光源６０のＬＥＤ素子７Ｂは、通常照明用光源５０の前側に、前後方向に長い一列または複数列で配置することもできる。この列は、直線配置、ジグザグ配置等のいずれでもよく、全体として列が形成される状態であればよい。
この場合、特別報知用光源６０のＬＥＤ素子７Ｂを赤（Ｒ）、緑（Ｇ）、青（Ｂ）で発光する発光素子が１チップに構成される形態の場合と、これに替わって上記のように、個々のＬＥＤ素子７Ｂが単色発光の赤（Ｒ）発光素子、緑（Ｇ）発光素子、青（Ｂ）発光素子で構成し、これらの発光色が混ざり合うような配列とし、上記同様の構成とし、その発光及び制御とすることもできる。更に、ＬＥＤ素子７Ｂごとのレンズ形態の配光部８２を備える配光ユニット８を設ける形態とすることができ、その場合は、特別報知用カバー８０は透明でもよく、また、この特別報知用カバー８０を省くこともできる。
【００７２】
透光性カバー３および特別報知用カバー８０は、両者とも透明または乳白色等の光拡散性を有する透光性とすることもできる。透光性カバー３および特別報知用カバー８０の両者とも光拡散性を有する場合、通常照明用光源５０の光の透過が若干低下するが眩しさが軽減される照明効果を得ることができ、特別報知用光源６０による所期の発光色での報知効果を得ることができる。
また、透光性カバー３を光拡散性を有する構成とし、特別報知用カバー８０を透明とする場合、通常照明用光源５０の光の透過が若干低下するが眩しさが軽減される照明効果を得ることができ、特別報知用光源６０による所期の発光色での報知効果を得ることができる。
【００７３】
通常照明用光源５０により街路を十分な照度で以って良好な照明効果を得るためには、透光性カバー３は透明が好ましい。その場合、特別報知用カバー８０を光拡散性を有する構成とすることによって、特別報知用光源６０による所期の発光色での報知効果を得ることができる。
【００７４】
また、特別報知用カバー８０を設けない場合は、透光性カバー３は、通常照明用光源５０に対応する部分は透明とし、特別報知用光源６０に対応する部分は光拡散性を有する構成とする。この場合、透光性カバー３は、仕切り板７０で仕切られる後側の空間３Ｐ１に対応する部分を透明とし、前側の空間３Ｐ２に対応する部分を光拡散性を有する構成とすることにより、通常照明用光源５０により街路を十分な照度で以って良好な照明効果が得られ、特別報知用光源６０による所期の発光色での報知効果を得ることができる。
【００７５】
また、透光性カバー３は、通常照明用光源５０を覆う部分をレンズ形態の配光部８２を備える配光ユニット８が一体形成された形態とすることもできる。この場合、特別報知用光源６０に対応する部分を光拡散性を有する透光性とすることにより、通常照明用光源５０により街路を十分な照度で以って良好な照明効果が得られ、特別報知用光源６０による所期の発光色での報知効果を得ることができる。
【００７６】
照明器具１に蓄電池を設け、商用電源が停電時には停電検出回路が停電を検出した時は、この蓄電池によって照明器具１が稼働するようにすることができる。この場合、停電時には、通常照明用光源５０は点灯させず、特別報知用光源６０の白色発光素子（Ｗ）を点灯させて非常時の路面照明を確保すると共に、上記同様に、通信部３４が受信する外部信号の災害の危険度の程度に応じて、赤（Ｒ）、緑（Ｇ）、青（Ｂ）で発光する発光素子を所定の発光色で発光させることができる。
【００７７】
照明器具１の形態は上記実施形態に限定されず、本発明の目的及び効果が達成される範囲で、適宜変更された形態でもよい。
【符号の説明】
【００７８】
１          照明器具
２          本体
２Ａ        本体の開口部
３          透光性カバー
４          本体の内部空間
４Ａ        前部空間
４Ｂ        後部空間
５          発光部基板
５Ｂ        第２発光部基板
７          光源（ＬＥＤ素子）
８          配光ユニット
１０        取り付け部
３０        商用電源
３１        ＡＣ／ＤＣ変換部
３２        ＬＥＤ電源
３３        制御部
３４        通信部
３５        雷サージ回路
４０        取り付け板
５０        通常照明用光源
６０        特別報知用光源
７０        仕切り板
８０        特別報知用カバー
８１        特別報知部
ＳＳ        照度センサ
【図１】
2018133203.tif 000003
【図２】
2018133203.tif 000004
【図３】
2018133203.tif 000005
【図４】
2018133203.tif 000006
【図５】
2018133203.tif 000007
【図６】
2018133203.tif 000008
【図７】
2018133203.tif 000009
【図８】
2018133203.tif 000010
【図９】
2018133203.tif 000011
【図１０】
2018133203.tif 000012
【図１１】
2018133203.tif 000013